(57)【要約】【課題】底泥の硫酸塩還元菌等の嫌気性バクテリアの増殖を抑えることと、無酸素状態の場所に酸素を供給し、好気性バクテリアを増やし、有機性汚濁物質の分解を促進し、底質の分解浄化機能を高めることにより底質や水質を積極的に無害化することのできる底質等浄化方法および装置を提供すること。【解決手段】マイクロバブル槽６内のマグネシウム系底質改善剤を主成分とするスラリー液内に汚濁水７と微小気泡とを供給して汚濁水の無害化を行うことを特徴とする。【選択図】      図１
2004330064.tif 000002
【特許請求の範囲】
【請求項１】
マイクロバブル槽内のマグネシウム系底質改善剤を主成分とするスラリー液内に汚濁水と微小気泡とを供給して汚濁水の無害化を行うことを特徴とする底質等浄化方法。
【請求項２】
前記マグネシウム系底質改善剤が汚濁水中に含まれる底質のｐＨを弱アルカリ性にすることにより、硫酸塩還元菌を含む嫌気性バクテリアの増殖を抑え、硫化水素を含む有害ガスの発生、悪臭の発生を防止し、前記微小気泡によって供給された酸素により好気性バクテリアが働いて、前記底質中の有機物の分解を促進させることを特徴とする請求項１に記載の底質等浄化方法。
【請求項３】
マグネシウム系底質改善剤を主成分とするスラリー液を作成するスラリー液作成手段と、前記スラリー液が注入されるマイクロバブル槽と、当該マイクロバブル槽内のスラリー液内に汚濁水を供給する汚濁水供給手段と、前記マイクロバブル槽内のスラリー液内に微小気泡を供給するマイクロバブル発生手段とを有することを特徴とする底質等浄化装置。
【請求項４】
前記マイクロバブル発生手段は、前記マイクロバブル槽内のスラリー液内に汚濁水を微小気泡と一緒に供給するように形成されていることを特徴とする底質等浄化装置。
【発明の詳細な説明】
【０００１】
【発明の属する技術分野】
本発明は、底質等浄化方法および装置に係り、湖沼や大都会の下水道地下貯水槽等に堆積した有機性汚濁物質の早期分解を促進したり、硫酸塩還元菌による硫化水素等有害ガスの発生を抑制したり、悪臭除去及び水質浄化に好適な底質等浄化方法および装置に関する。
【０００２】
【従来の技術】
従来から行われている底質、水質の改善方法は、ヘドロを除去するか、酸素を供給するか、コンクリート等で水とへドロを遮断するか、環境改善剤を散布するかという方法がとられていた。
【０００３】
例えば、特許文献１によれば、河川・湖沼等の底部に堆積したヘドロを原位置で撹拌し、懸濁水としてヘドロ凝集処理プラントに輸送する工程と、ヘドロ凝集処理プラントに輸送された前記懸濁水に天然素材からなる凝集剤を添加し、ヘドロ凝集物と一次処理水とに分離する工程と、ヘドロ凝集物を脱水する工程と、一次処理水及び脱水処理水を浄化槽に導入して、窒素分及び燐分を除去し、二次処理水として河川・湖沼等に放流還元する工程とによって、河川・湖沼の底質及び水質改善を施すようにしている。
【０００４】
【特許文献１】
特開２０００−１７６４８９号公報
【０００５】
【発明が解決しようとする課題】
しかしながら、前記特許文献１に記載の方法においては、河川・湖沼からヘドロを水分と一緒に出し、ヘドロと水分とを分離し、一方のヘドロは河川・湖沼以外の所に廃棄し、他方の分離した水分を二次処理まで施して河川・湖沼に戻すものであり、ヘドロ分等に含まれる各種成分の積極的な無害化は図られていないという問題点がある。
【０００６】
本発明はこれらの点に鑑みてなされたものであり、底泥の硫酸塩還元菌等の嫌気性バクテリアの増殖を抑えることと、無酸素状態の場所に酸素を供給し、好気性バクテリアを増やし、有機性汚濁物質の分解を促進し、底質の分解浄化機能を高めることにより底質や水質を積極的に無害化することのできる底質等浄化方法および装置を提供することを目的とする。
【０００７】
【課題を解決するための手段】
前記目的を達成するために本発明の底質等浄化方法は、マイクロバブル槽内のマグネシウム系底質改善剤を主成分とするスラリー液内に汚濁水と微小気泡とを供給して汚濁水の無害化を行うことを特徴とする。
【０００８】
また、本発明の底質等浄化装置は、マグネシウム系底質改善剤を主成分とするスラリー液を作成するスラリー液作成手段と、前記スラリー液が注入されるマイクロバブル槽と、当該マイクロバブル槽内のスラリー液内に汚濁水供給する汚濁水供給手段と、前記マイクロバブル槽内のスラリー液内に微小気泡を供給するマイクロバブル発生手段とを有することを特徴とする。
【０００９】
また、前記マイクロバブル発生手段は、前記マイクロバブル槽内のスラリー液内に汚濁水を微小気泡と一緒に供給するように形成するとよい。
【００１０】
このように構成される本発明装置を本発明方法によって作動させることにより底質や水質を積極的に無害化することができる。
【００１１】
具体的には、マグネシウム系底質改善剤が汚濁水中に含まれる底質のｐＨを弱アルカリ性にすることにより、硫酸塩還元菌を含む嫌気性バクテリアの増殖を抑え、硫化水素を含む有害ガスの発生、悪臭の発生を防止し、微小気泡によって供給された酸素により好気性バクテリアが働いて、底質中の有機物の分解を促進させることができる。
【００１２】
【発明の実施の形態】
以下、本発明の実施の形態を図１により説明する。
【００１３】
図１は本発明の底質等浄化装置の１実施形態を示している。
【００１４】
本実施形態の底質等浄化装置においては、マグネシウム系底質改善剤を主成分とするスラリー液を作成するスラリー液作成手段１を有している。マグネシウム系底質改善剤としては、水酸化マグネシウム、酸化マグネシウム等が挙げられる。このスラリー液作成手段１は、内部に攪拌用ファン３を備えた攪拌槽２を有している。この攪拌槽２においては、マグネシウム系底質改善剤を予め内部に供給し、注入パイプ４を介して汚濁されていない新鮮水が供給され、作成されたスラリー液は送出パイプ５を通してマイクロバブル槽６に送出されるように形成されている。このマイクロバブル槽６には、底質等を含んでいる汚濁水７が先端に吸水ポンプ８を備えた汚濁水供給パイプ９からなる汚濁水供給手段によって供給されるように形成されている。この汚濁水供給パイプ９の下流端はマイクロバブル発生手段１０のノズル１１に接続されている。このマイクロバブル発生手段１０は空気を供給する空気供給パイプ１２とその先端部の前記ノズル１１とにより形成されており、ノズル１１から霧吹きの原理によりマイクロバブル槽６内のスラリー液内に汚濁水７を微小気泡と一緒に供給するものである。また、マイクロバブル槽６には無害化された処理液を放水する放水パイプ１３が配設されている。
【００１５】
次に、本実施形態を本発明方法によって作動させて行う汚濁水に対する浄化方法を説明する。
【００１６】
先ず、スラリー液作成手段１の攪拌槽２内にマグネシウム系底質改善剤を供給するとともに注入パイプ４より取水した新鮮水を供給して、攪拌用ファン２により十分に攪拌してスラリー液を作成する。このようにして作成されたスラリー液は送出パイプ５からマイクロバブル槽６内に注入される。続いて、汚濁水供給手段の吸水ポンプ８を稼働させて汚濁水供給パイプ９を通して汚濁水７をマイクロバブル槽６へ供給する。同時に、マイクロバブル発生装置１０の空気供給パイプ１２から空気を供給することにより、ノズル１１からマイクロバブル槽６内のスラリー液内に汚濁水７を微小気泡と一緒に供給させる。これにより微小気泡状の汚濁水７および気泡がマイクロバブル槽６内においてスラリー液と混合され、汚濁水７の浄化処理を施される。
【００１７】
このように本実施形態においては、マグネシウム系底質改善剤のスラリー液とマイクロバブル状態即ち微小気泡状態の酸素と微小気泡状に細かく分散された汚濁水とが同時に供給されることにより相乗効果が発生し、確実、かつ、スピーディーに、底質や水質の改善が行なわれ、しかも安価である。
【００１８】
更に、マグネシウム系底質改善剤が汚濁水７中に含まれる底質のｐＨを弱アルカリ性にすることにより、硫酸塩還元菌を含む嫌気性バクテリアの増殖を抑え、硫化水素を含む有害ガスの発生並びに悪臭の発生をも防止し、微小気泡によって供給された酸素により好気性バクテリアが働いて、底質中の有機物の分解を促進させる。
【００１９】
このようにして浄化処理された処理水は、放水パイプ１３から所定箇所、例えば汚濁水７の取水箇所に放出される。
【００２０】
図１の実施形態においては、吸水ポンプ８と汚濁水供給パイプ９とによって形成されている汚濁水供給手段によって汚濁水７をマイクロバブル発生手段１０を経由して供給するようにしているが、汚濁水を運搬船やタンカー等によってマイクロバブル槽６まで運搬し、運搬船からマイクロバブル発生手段１０を通さないで直接マイクロバブル槽６内のスラリー液内に投入するようにしてもよい。
【００２１】
従って、本発明によれば底泥が含まれる汚濁水７中の硫酸塩還元菌等の嫌気性バクテリアの増殖を抑えることができ、無酸素状態の場所に酸素を供給し、好気性バクテリアを増やし、有機性汚濁物質の分解を促進し、底質の分解浄化機能を高めることができ、ひいては底質や水質を積極的に無害化することができる。
【００２２】
なお、本発明は前記実施の形態に限定されるものではなく、必要に応じて変更することができる。
【００２３】
【発明の効果】
本発明の底質等浄化方法および装置はこのように構成され作用するものであるから、底泥の硫酸塩還元菌等の嫌気性バクテリアの増殖を抑えることと、無酸素状態の場所に酸素を供給し、好気性バクテリアを増やし、有機性汚濁物質の分解を促進し、底質の分解浄化機能を高めることにより底質や水質を積極的に無害化することができる等の効果を奏する。
【図面の簡単な説明】
【図１】本発明の底質等浄化装置の１実施形態を示すブロック図
【符号の説明】
１  スラリー液作成手段
６  マイクロバブル槽
７  汚濁水
８  吸水ポンプ（汚濁水供給手段）
９  汚濁水供給パイプ（汚濁水供給手段）
１０  マイクロバブル発生手段
【図１】
2004330064.tif 000003